(57)【特許請求の範囲】
【請求項１】
空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させ、前記冷凍式エアードライヤを前記空気圧縮機の上部に位置させることで、前記冷凍式エアードライヤと前記エアーフィルターと前記細菌類対応フィルターに於いて発生するドレン水を前記空気圧縮機の上部に溜まったり上部で流れるようにしたことを特徴とする乾燥したそして細菌類に対応した綺麗な圧縮空気の製造装置。
【請求項２】
前記パッケージ型冷凍式エアードライヤ搭載形エアーコンプレッサの収納物である前記空気圧縮機と前記冷凍式エアードライヤに、前記エアーフィルターと前記細菌類対応フィルターを、箱や枠や板の中の一点または複数点を使用することで一体に構成してパッケージ型冷凍式エアードライヤ搭載形エアーコンプレッサＡとしたことを特徴とする請求項１に記載の乾燥したそして細菌類に対応した綺麗な圧縮空気の製造装置。
【請求項３】
前記パッケージ型冷凍式エアードライヤ搭載形エアーコンプレッサＡの収納物である前記空気圧縮機と前記冷凍式エアードライヤと前記エアーフィルターと前記細菌類対応フィルターに、前記冷凍式エアードライヤの下部に接続しているドレン水配管の途中にドレントラップを位置させて、箱や枠や板の中の一点または複数点を使用することで一体に構成してパッケージ型冷凍式エアードライヤ搭載形エアーコンプレッサＢとしたことを特徴とする請求項２に記載の乾燥したそして細菌類に対応した綺麗な圧縮空気の製造装置。
【請求項４】
前記パッケージ型冷凍式エアードライヤ搭載形エアーコンプレッサＢの収納物である前記空気圧縮機と前記冷凍式エアードライヤと前記エアーフィルターと前記細菌類対応フィルターと前記ドレントラップに、前記エアーフィルターと前記細菌類対応フィルターの下部に接続しているドレン水配管の途中に各々ドレントラップを位置させて、箱や枠や板の中の一点または複数点を使用することで一体に構成してパッケージ型冷凍式エアードライヤ搭載形エアーコンプレッサＣとしたことを特徴とする請求項３に記載の乾燥したそして細菌類に対応した綺麗な圧縮空気の製造装置。
【請求項５】
前記空気圧縮機は給油式であり、前記パッケージ型冷凍式エアードライヤ搭載形エアーコンプレッサＣの収納物である前記空気圧縮機と前記冷凍式エアードライヤと前記エアーフィルターと前記細菌類対応フィルターと三つの前記ドレントラップに、全ての前記ドレントラップに接続したドレン水処理装置を、箱や枠や板の中の一点または複数点を使用することで一体に構成してパッケージ型冷凍式エアードライヤ搭載形エアーコンプレッサＤとしたことを特徴とする請求項４に記載の乾燥したそして細菌類に対応した綺麗な圧縮空気の製造装置。
【請求項６】
前記パッケージ型冷凍式エアードライヤ搭載形エアーコンプレッサＤの収納物である前記空気圧縮機と前記冷凍式エアードライヤと前記エアーフィルターと前記細菌類対応フィルターと三つの前記ドレントラップと前記ドレン水処理装置に、前記空気圧縮機を構成しているエアータンクの下部に接続しているドレン水配管の途中にドレントラップを位置させて前記ドレン水処理装置に接続し、箱や枠や板の中の一点または複数点を使用することで一体に構成してパッケージ型冷凍式エアードライヤ搭載形エアーコンプレッサＥとしたことを特徴とする請求項５に記載の乾燥したそして細菌類に対応した綺麗な圧縮空気の製造装置。
【請求項７】
空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させ、前記冷凍式エアードライヤを前記空気圧縮機の上部に位置させることで、前記冷凍式エアードライヤと前記エアーフィルターと前記細菌類対応フィルターに於いて発生するドレン水を前記空気圧縮機の上部に溜まったり上部で流れるようにしたことを特徴とする乾燥したそして細菌類に対応した綺麗な圧縮空気の製造方法。
【発明の詳細な説明】
【技術分野】
【０００１】  本発明は、乾燥したそして細菌類に対応した綺麗な圧縮空気の製造装置および製造方法に関する技術であって、更に詳細に述べると、空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させた技術について述べたものであり、空気圧縮機と冷凍式エアードライヤを一体にしたことを中心にして、人体に有害な物質である、各種の細菌やマイコプラズマやリケッチャやクラジミアやウイルス等（以下、細菌類と称す）を除去したり殺菌したり抗菌することの一部または全部に対応した菌対応フィルターを位置させたことによって、装置の運搬や、装置を設置する際にその場所が狭いという事に配慮しながら、乾燥したそして細菌類に対応した綺麗な圧縮空気の製造する技術に関して述べたものである。
【背景技術】
【０００２】  従来、乾燥したそして細菌類に対応した綺麗な圧縮空気の製造装置および製造方法に関係する技術としては、空気圧縮機で作り出された圧縮空気中の細菌類を、除菌装置を構成しているメンブランフィルターで除菌する技術や（例えば、特許文献１参照）、空気圧縮装置で圧縮を製造するその上流側または下流側のいずれか一方の片側または両側の部分で、除菌と殺菌の両方の処理を必ず行う技術や（例えば、特許文献２参照）、単一の電源によって作動が行なわれるパッケージ型冷凍式エアードライヤによって乾燥した圧縮空気を作り出す技術（例えば、特許文献３参照）が見られる。
【先行技術文献】
【特許文献】
【０００３】  先ず、乾燥したそして細菌類に対応した綺麗な圧縮空気の製造装置および製造方法に類似している、従来のコンプレッサーに於ける除菌装置について、特許文献１によって説明する。【０００４】  この場合、特許文献１に於いて、コンプレッサーの圧縮空気の吐出配管１中に、メンブランフィルター１６を有する除菌器４を配したコンプレッサーに於ける除菌装置に於いて、上記吐出配管１の除菌器４より上流に圧縮空気中に含まれる水分を除去する冷凍式エアードライヤー２を配し、その下流に上記冷凍式エアードライヤー２で除去出来なかった水分を外部へ除去できるドレントラップ８を有する防塵用フィルター器３を配設し、その下流に上記防塵用フィルター器３の自動ドレントラップ８で除去出来なかった水分を外部へ除去できるドレントラップ１９を有する除菌器４を設け、上記冷凍式エアードライヤー２、防塵用フィルター器３のドレントラップ８、除菌器４のドレントラップ１９の順序で段々に水分を除去した圧縮空気をメンブランフィルター１６に通過せしめて除菌するようにした技術が示されている。
【特許文献１】特開昭６１−１５７３２０
【０００５】  次に、乾燥したそして細菌類に対応した綺麗な圧縮空気の製造装置および製造方法に類似している、従来の無菌圧縮空気の製造方法および製造装置について、特許文献２によって説明する。【０００６】  この場合、特許文献２に於いて、除塵装置４０と除菌装置３０と殺菌装置２０と空気圧縮装置１０とから構成される無菌圧縮空気の製造装置において、最上流の前記除塵装置４０と前記空気圧縮装置１０との間に、前記除菌装置３０と前記殺菌装置２０とを配設し、除菌と殺菌両方の処理を必ず行うように構成した技術が示されている。
【特許文献２】特開平１０−２４０９４
【０００７】  更に、乾燥したそして細菌類に対応した綺麗な圧縮空気の製造装置および製造方法に類似している、従来の圧縮空気より発生したドレン水の処理方法および処理装置について、特許文献３によって説明する。【０００８】  この場合、特許文献３に於いて、単一の電源によって作動が行なわれるパッケージ型冷凍式エアードライヤ搭載形エアーコンプレッサー１を構成しているエアータンク１４と冷凍式エアードライヤ３０で圧縮空気から発生したドレン水の処理方法に於いて、前記エアータンク１４からのドレン水Ｄ１を冷却していない圧縮空気と共に電磁式ドレントラップ４０で送り出し、その下流で前記冷凍式エアードライヤ３０からのドレン水Ｄ２をドレントラップ５０によって合流させる技術が示されている。
【特許文献３】特開２０１０−２７０７４３
【発明の概要】
【発明が解決しようとする課題】
【０００９】  しかしながら、このような乾燥したそして細菌類に対応した綺麗な圧縮空気の製造装置および製造方法に類似している、従来のコンプレッサーに於ける除菌装置や、無菌圧縮空気の製造方法および製造装置や、圧縮空気より発生したドレン水の処理方法および処理装置に関しては、以下に示すような課題があった。【００１０】  先ず、空気圧縮機で作り出された圧縮空気中の細菌類を、除菌装置を構成しているメンブランフィルターで除菌する技術では、装置全体の構成としては除菌を配慮したものとなっているが、装置をばらばらに運搬する不便さや、このような装置を都会地で開業している歯科病院に設置しようとした場合には狭い部屋に収納する場合が多く、設置する機器の数から、結果として必要最小限の構成となり、本来必要とすべき除菌やドレン水の処理を省略する傾向にあった。【００１１】  一方、空気圧縮装置で圧縮を製造するその上流側または下流側の一方の片側または両側の部分で、除菌と殺菌の両方の処理を必ず行う技術でも、装置全体の構成としては除菌を配慮したものとなっているが、装置をばらばらに運搬する不便さや、このような装置を都会地で開業している歯科病院に設置しようとした場合には狭い部屋に収納する場合が多く、設置する機器の数から、結果として必要最小限の構成となり、本来必要とすべき除菌やドレン水の処理を省略する傾向にあった。【００１２】  更に、単一の電源によって作動が行なわれるパッケージ型冷凍式エアードライヤによって乾燥した圧縮空気を作り出す技術では、装置の運搬や、設置に際して多少の配慮は成されていたが、細菌類を除去したり殺菌したり抗菌する細菌類に対応する配慮は成されていなかった。
【課題を解決するための手段】
【００１３】  本発明は、空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させ、前記冷凍式エアードライヤを前記空気圧縮機の上部に位置させることで、前記冷凍式エアードライヤと前記エアーフィルターと前記細菌類対応フィルターに於いて発生するドレン水を前記空気圧縮機の上部に溜まったり上部で流れるようにしたことを特徴とし、更には、前記パッケージ型冷凍式エアードライヤ搭載形エアーコンプレッサの収納物である前記空気圧縮機と前記冷凍式エアードライヤに、前記エアーフィルターと前記細菌類対応フィルターを、箱や枠や板の中の一点または複数点を使用することで一体に構成してパッケージ型冷凍式エアードライヤ搭載形エアーコンプレッサＡとしたことを特徴とし、更には、前記パッケージ型冷凍式エアードライヤ搭載形エアーコンプレッサＡの収納物である前記空気圧縮機と前記冷凍式エアードライヤと前記エアーフィルターと前記細菌類対応フィルターに、前記冷凍式エアードライヤの下部に接続しているドレン水配管の途中にドレントラップを位置させて、箱や枠や板の中の一点または複数点を使用することで一体に構成してパッケージ型冷凍式エアードライヤ搭載形エアーコンプレッサＢとしたことを特徴とし、更には、前記パッケージ型冷凍式エアードライヤ搭載形エアーコンプレッサＢの収納物である前記空気圧縮機と前記冷凍式エアードライヤと前記エアーフィルターと前記細菌類対応フィルターと前記ドレントラップに、前記エアーフィルターと前記細菌類対応フィルターの下部に接続しているドレン水配管の途中に各々ドレントラップを位置させて、箱や枠や板の中の一点または複数点を使用することで一体に構成してパッケージ型冷凍式エアードライヤ搭載形エアーコンプレッサＣとしたことを特徴とし、更には、前記空気圧縮機は給油式であり、前記パッケージ型冷凍式エアードライヤ搭載形エアーコンプレッサＣの収納物である前記空気圧縮機と前記冷凍式エアードライヤと前記エアーフィルターと前記細菌類対応フィルターと三つの前記ドレントラップに、全ての前記ドレントラップに接続したドレン水処理装置を、箱や枠や板の中の一点または複数点を使用することで一体に構成してパッケージ型冷凍式エアードライヤ搭載形エアーコンプレッサＤとしたことを特徴とし、更には、前記パッケージ型冷凍式エアードライヤ搭載形エアーコンプレッサＤの収納物である前記空気圧縮機と前記冷凍式エアードライヤと前記エアーフィルターと前記細菌類対応フィルターと三つの前記ドレントラップと前記ドレン水処理装置に、前記空気圧縮機を構成しているエアータンクの下部に接続しているドレン水配管の途中にドレントラップを位置させて前記ドレン水処理装置に接続し、箱や枠や板の中の一点または複数点を使用することで一体に構成してパッケージ型冷凍式エアードライヤ搭載形エアーコンプレッサＥとしたことを特徴とすることによって、上記課題を解決した���である。【００１４】  また本発明は、空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させ、前記冷凍式エアードライヤを前記空気圧縮機の上部に位置させることで、前記冷凍式エアードライヤと前記エアーフィルターと前記細菌類対応フィルターに於いて発生するドレン水を前記空気圧縮機の上部に溜まったり上部で流れるようにしたことを特徴とすることによって、上記課題を解決したのである。
【発明の効果】
【００１５】  以上の説明から明らかなように、本発明によって、以下に示すような効果をあげることが出来る。【００１６】  第一に、空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌することの一部または全部に対応した細菌類対応フィルターを記載の順に位置させたことで、装置全体の主要な機器であり、比較的床面積の占める割合の大きい空気圧縮機と冷凍式エアードライヤの両者を上下に一体にしてコンパクトに構成することで、装置の運搬が容易になり、都会地の狭い部屋での設置に際しても、乾燥したそして細菌類に対応した綺麗な圧縮空気の製造を容易にすると同時に、ドレン水を清浄水にすることを可能にした。【００１７】  第二に、パッケージ型冷凍式エアードライヤ搭載形エアーコンプレッサの収納物である空気圧縮機と冷凍式エアードライヤに、エアーフィルターと細菌類対応フィルターを、箱や枠や板の中の一点または複数点を使用することで一体に構成してパッケージ型冷凍式エアードライヤ搭載形エアーコンプレッサＡとしたことで、装置全体の主要な目的である細菌類に対応する細菌類に対応フィルターも一体に構成することで、細菌類対応フィルターを装置に組み込むことを必然的なものとした。【００１８】  第三に、パッケージ型冷凍式エアードライヤ搭載形エアーコンプレッサＡの収納物である空気圧縮機と冷凍式エアードライヤとエアーフィルターと細菌類対応フィルターに、冷凍式エアードライヤの下部に接続しているドレン水配管の途中にドレントラップを位置させて、箱や枠や板の中の一点または複数点を使用することで一体に構成してパッケージ型冷凍式エアードライヤ搭載形エアーコンプレッサＢとしたことで、特にドレン水の発生が多い冷凍式エアードライヤに於いてはドレントラップも一体に組み込むことで、自動的にドレン水を排出することを必然的なものとした。【００１９】  第四に、パッケージ型冷凍式エアードライヤ搭載形エアーコンプレッサＢの収納物である空気圧縮機と冷凍式エアードライヤとエアーフィルターと細菌類対応フィルターとドレントラップに、エアーフィルターと細菌類対応フィルターの下部に接続しているドレン水配管の途中に各々ドレントラップを位置させて、箱や枠や板の中の一点または複数点を使用することで一体に構成してパッケージ型冷凍式エアードライヤ搭載形エアーコンプレッサＣとしたことで、各フィルターの下部にドレントラップも一体に組み込むことで、性能を持続させる事を必然的なものとした。【００２０】  第五に、空気圧縮機は給油式であり、パッケージ型冷凍式エアードライヤ搭載形エアーコンプレッサＣの収納物である空気圧縮機と冷凍式エアードライヤとエアーフィルターと細菌類対応フィルターと三つのドレントラップに、全てのドレントラップに接続したドレン水処理装置を、箱や枠や板の中の一点または複数点を使用することで一体に構成してパッケージ型冷凍式エアードライヤ搭載形エアーコンプレッサＤとしたことで、ドレン水処理装置も一体にすることで、そのまま排出しては問題のあるドレン水を清浄水にする事を必然的なものとした。【００２１】  第六に、パッケージ型冷凍式エアードライヤ搭載形エアーコンプレッサＤの収納物である空気圧縮機と冷凍式エアードライヤとエアーフィルターと細菌類対応フィルターと三つのドレントラップとドレン水処理装置に、空気圧縮機を構成しているエアータンクの下部に接続しているドレン水配管の途中にドレントラップを位置させてドレン水処理装置に接続し、箱や枠や板の中の一点または複数点を使用することで一体に構成してパッケージ型冷凍式エアードライヤ搭載形エアーコンプレッサＥとしたことで、比較的ドレン水の発生の多いドレントラップも一体に組み込むことで、自動的にドレン水を排出することを必然的なものとした。
【図面の簡単な説明】
【００２２】
【図１】  本願発明の全体を示した図
【図２】  本願発明の別の一つ目の全体を示した図
【図３】  本願発明の別の二つ目の全体を示した図
【図４】  本願発明の別の三つ目の全体を示した図
【図５】  本願発明の別の四つ目の全体を示した図
【図６】  本願発明の別の五つ目の全体を示した図
【発明を実施するための形態】
【００２３】  以下、本発明の実施の形態を図面と共に詳細に説明する。
ここで、図１は、本願発明の全体を示した図であり、図２は、本願発明の別の一つ目の全体を示した図であり、図３は、本願発明の別の二つ目の全体を示した図であり、図４は、本願発明の別の三つ目の全体を示した図であり、図５は、本願発明の別の四つ目の全体を示した図であり、図６は、本願発明の別の五つ目の全体を示した図である。
【００２４】（第一の実施例）
図１に見られるように、１はパッケージ型冷凍式エアードライヤ搭載形エアーコンプレッサであって、空気圧縮機１０と冷凍式エアードライヤ３０と圧縮空気吐出配管１５Ａ、１５Ｂ、３５とドレン水配管１６、３６と圧縮空気開閉弁１８が収納されていて、空気圧縮機１０で作り出された圧縮空気は圧縮空気吐出配管１５Ａと手動によって圧縮空気の流れを開放し遮断することが出来る圧縮空気開閉弁１８と圧縮空気吐出配管１５Ｂを経由して冷凍式エアードライヤ３０に送り込まれるようになっている。  そして、前述の様に構成された収納物を、棚１ａや箱や枠や板の中の一点または複数点を使用することで一体に構成している。  尚、パッケージ型冷凍式エアードライヤ搭載形エアーコンプレッサ１に関しては、後で述べる圧縮空気開閉弁３８とドレン水開閉弁１７、３７を含むということも考えられる。
【００２５】  この場合、図１で、冷凍式エアードライヤ３０は棚１ａの上に配置されているが、棚１ａが無くても、この場所にこだわる必要も無いし、また圧縮空気吐出配管１５Ａ、１５Ｂ、３５や圧縮空気開閉弁１８やドレン水配管３６を支持する支柱として棚１ａの代わりに使っても良いし、その他の方法で支持するものでも良い。  何れにしても、位置エネルギーを確保するために、冷凍式エアードライヤ３０が後で述べるドレン水処理装置７０の流入口より高い所に位置していることが必要な場合もある。  更には、位置エネルギーを確保する意味から、エアータンク１４と冷凍式エアードライヤ３０の設置面での高さの差は、ドレン水処理装置７０の流入口との関係から０．７〜３．５ｍであることが必要な場合もあると言える。  即ち、高さの差が必要という意味は、ドレントラップ４５、５２、６２にフローと式のものを使用する場合である。  尚、比較的床面積の占める割合の大きい空気圧縮機１０と冷凍式エアードライヤ３０を上下に一体にしてコンパクトに構成することで、機器の搬入や都会地の狭い部屋での設置を容易にしたのも意図した目的である。
【００２６】  ここで、空気圧縮機１０は、圧縮機１１とモータ１２とエアータンク１４から構成されている。  この場合、モータ１２が作動することによってベルトを介して圧縮機１１を回転させることで、吸込口１３から大気を吸い込み、圧縮機１１によって圧縮空気を作り、その圧縮空気をエアータンク１４に貯蔵するという構成になっている。  更に、エアータンク１４内の圧縮空気を冷凍式エアードライヤ３０に送り出すための圧縮空気吐出配管１５Ａ、１５Ｂは、エアータンク１４に形成された圧縮空気吐出口１４ａに接続している。またこのような構成の中で、圧縮空気から結露することで発生したドレン水Ｄ１が、エアータンク１４の底に溜まるようになっている。  尚、圧縮空気吐出配管１５Ａ、１５Ｂに関しては、圧力損出を防ぐ意味で十分な内径を確保される必要は有る。
【００２７】  一方、冷凍式エアードライヤ３０は、冷凍式エアードライヤ本体３１内にアキュムレータと圧縮機と疑縮機から構成される冷媒循環装置３２と周辺にフィン３３ａを位置させた冷媒配管３３が収納されており、アンモニアやフレオン・・・等の冷媒が冷媒循環装置３２と冷媒配管３３の間を循環することによって圧縮空気を冷却するような構造になっている。  この場合、エアータンク１４からの圧縮空気吐出配管１５Ａ、１５Ｂは、冷凍式エアードライヤ本体３１に形成された圧縮空気流入口３１ａに接続して圧縮空気が流入するようになっている。
【００２８】  尚、冷却されることで乾燥した圧縮空気は、冷凍式エアードライヤ本体３１に形成された圧縮空気流出口３１ｂに接続した圧縮空気吐出配管３５と、手動によって圧縮空気の流れを開放し遮断することが出来る圧縮空気開閉弁３８と、圧縮空気吐出配管１６１と、圧縮空気中の各種の異物を除去するエアーフィルター５０と、圧縮空気吐出配管１６２と、各種の細菌やマイコプラズマやリケッチャやクラジミアやウイルス等の細菌類を除去したり殺菌したり抗菌することの一部または全部に対応した菌対応フィルター６０と、圧縮空気吐出配管１６３と、手動によって圧縮空気の流れを開放し遮断することが出来る圧縮空気開閉弁６５と、圧縮空気吐出配管１６４を経由して、乾燥したそして細菌類に対応した綺麗な圧縮空気１０１としてエアーシリンダやエアーモータ・・・等の各種のアクチュエータに流すことが出来るようになっている。
【００２９】  その結果として、食品や医薬品を作る現場で圧縮空気を使用する場合（例えば、ロボット）や、病院、特に歯科医院で圧縮空気を使用する場合（例えば、歯石を削る機器）に、有効な装置として意図したものである。
【００３０】  更に、エアータンク１４の底に溜まっているドレン水Ｄ１は、エアータンク１４の底部に形成されているドレン水排出口１４ｂから、ドレン水配管１６と、手動によってドレン水の流れを開放し遮断することが出来るドレン水開閉弁１７と、ドレン水配管１５１と、一定の時間ごとに一定の間隔でまたはエアータンク１４内に一定量のドレン水Ｄ１が溜まったらドレン水を圧縮空気と共に送り出す電磁式のドレントラップ４０と、ドレン水配管１５２を経由して、ドレン水集合管１５３に至るようになっている。  但し、ドレントラップ４０に関しては、圧縮空気とドレン水を同時に排出するものであれば、どの様なものでも構わない。
【００３１】  所で、このような構成の中で、冷凍式エアードライヤ３０内で圧縮空気から結露することで発生したドレン水Ｄ２が、冷凍式エアードライヤ本体３１の底に溜まるようになっている。
【００３２】  また、冷凍式エアードライヤ本体３１の底に溜まっているドレン水Ｄ２は、冷凍式エアードライヤ本体３１の底部に形成されているドレン水排出口３１ｃから、ドレン水配管３６と、手動によってドレン水の流れを開放し遮断することが出来るドレン水開閉弁３７と、ドレン水配管１７１と、一定の時間ごとに一定の間隔でまたは冷凍式エアードライヤ本体３１内に一定量のドレン水Ｄ２が溜まったらドレン水を圧縮空気と共に送り出す電磁式のドレントラップ４５と、ドレン水配管１７２を経由して、ドレン水集合管１５３に至るようになっている。  但し、ドレントラップ４５に関しては、圧縮空気とドレン水を同時に排出するものであれば、どの様なものでも構わない。  また、ドレントラップ４５に関しては、フローと式ということも考えられる。
【００３３】  一方、エアーフィルター５０からは、圧縮空気から結露することで発生したドレン水が下部に接続したドレン水配管１８１を通って、手動によってドレン水の流れを開放し遮断することが出来るドレン水開閉弁５１と、ドレン水配管１８２と、一定の時間ごとに一定の間隔でドレン水を圧縮空気と共に送り出す電磁式のドレントラップ５２と、ドレン水配管１８３を経由して、ドレン水集合管１５３に至るようになっている。  但し、ドレントラップ５２に関しては、圧縮空気とドレン水を同時に排出するものであれば、どの様なものでも構わない。  また、ドレントラップ５２に関しては、フローと式ということも考えられる。
【００３４】  加えて、細菌類対応フィルター６０からは、圧縮空気から結露することで発生したドレン水が下部に接続したドレン水配管１９１を通って、手動によってドレン水の流れを開放し遮断することが出来るドレン水開閉弁６１と、ドレン水配管１９２と、一定の時間ごとに一定の間隔でドレン水を圧縮空気と共に送り出す電磁式のドレントラップ６２と、ドレン水配管１９３を経由して、ドレン水集合管１５３に至るようになっている。  但し、ドレントラップ６２に関しては、圧縮空気とドレン水を同時に排出するものであれば、どの様なものでも構わない。  また、ドレントラップ６２に関しては、フローと式ということも考えられる。
【００３５】  この場合、細菌類対応フィルター６０に関しては、フィルターという呼び方で一つの機器であるかのように示しているが、各種の細菌やマイコプラズマやリケッチャやクラジミアやウイルス等の細菌類を除去したり殺菌したり抗菌することの一部または全部に対応した機器であれば、一部に対応した単一の組立品として構成された機器でも、一部または全部に対応した複数の組立品として構成された機器でも構わないし、その複数の組立品の中にフィルター以外の組立品として構成された機器であっても構わない。
【００３６】  例えば、除菌装置としては、大気中の一定の大きさ以上の細菌類を除去することが可能なメンブランフィルターが考えられ、通常０．１μｍ〜５μｍ程度であるが、細菌類の除去を目的として０．１μｍ〜０．４μｍ程度のものを用いるが、細菌類のウイルスは大きさが０．０２２μｍ〜０．３μｍ程度である為に、一部捕捉できないものもある。  尚、除菌装置としては、セラミックや活性炭マイクロファイバやその他のフィルターを使用しても良い。  従って、殺菌装置として紫外線によるまたはオゾンによるものを複合して使用することが考えられる。  一方、銀イオンによる抗菌装置等を使用することも考えられる。
【００３７】  所で、ドレン水集合管１５３はドレン水処理装置７０に接続して、圧縮空気と共にドレン水を送り込むことが出来るようになっているが、ドレン水処理装置７０としては、図１のドレン水処理装置７０に見られるように、ドレン水処理装置本体７１の内部に、油吸着材７２ということで、色素や異臭を除去する活性炭を概ね中央部の断面全体にドレン水の流れを遮るように配設し、更にエマルジョンを破壊させ油を吸着する目的のエマルジョン破壊粒子を付着させたエマルジョン破壊粒子付吸着材と油を吸着する目的の吸着材を概ね均一に混在させたものを、活性炭の前後に収納している。  但し、油吸着材７２としては、エマルジョン破壊粒子付吸着材と吸着材を収納する場合も、エマルジョン破壊粒子付吸着材だけを収納する場合も、それなりに考えられる。
【００３８】  ここで、ドレン水処理装置本体７１に関しては、外部から内部の状況を目視することが可能なようにガラス製やプラスチック製等の透明の材料を使用したり、外部から内部の状況を目視することが可能なようにガラス製やプラスチック製等の透明の材料をはめ込む等のことも考えられる。
【００３９】  尚、エマルジョン破壊粒子付吸着材は、エマルジョン破壊粒子の働きによって微小の油が水と結合してエマルジョン化したドレン水をエマルジョン破壊することで油と水の結合を解き放ち、その後、分離した油はエマルジョン破壊粒子付吸着材を構成している吸着材や吸着材に吸着される。  従って、エマルジョン破壊粒子付吸着材と吸着材が散在することによって、エマルジョン化した油から油を完全に分離し吸着することによって除去が可能となったのである。
【００４０】  一方、  活性炭のドレン水処理装置本体７１内での充填する位置としては、最上流では活性炭が早く汚れてしまい、最下流では活性炭そのものが流出することによって汚れた水が流れる様に見える為に、概ね中央部に位置させることが望ましい。
【００４１】  ここで、ドレン水処理装置本体７１の構造としては、液体であるドレン水が、ドレン水集合管１５３の端部である流入口からドレン水処理装置本体７１に流入し、清浄水配管１５４の端部である流出口から流出するまでの間に、ドレン水処理装置本体７１内を均一に流れるように、ドレン水処理装置本体７１の両端部である入口側と出口側には、二箇所の空間部７１ｚを確保してドレン水集合管１５３の端部である流入口と清浄水配管１５４の端部である流出口を位置させている。
【００４２】  従って、両端の空間部７１ｚを確保するために、また液体であるドレン水が流れ易いように数多くの小さな穴を形成している油吸着材押え板７４を二枚用意し、その油吸着材押え板７４とドレン水処理装置本体７１の両端との間にドレン水処理装置本体７１の内径より小径の円筒状の支柱７３を配設することによって油吸着材押え板７４を支え、エマルジョン破壊粒子付吸着材や吸着材や活性炭である油吸着材７２を、二つの油吸着材押え板７４の間の中央の側に収納するようにしているのである。  但し、支柱７３は円筒状のものに限る必要は全くなく、空間部７１ｚを確保出来れば、どのような形状でも構わない。  尚、油吸着材押え板７４としては、数多くの小さな穴を形成したパンチングプレートやセラミック樹脂等を使用することが考えられる。
【００４３】  また、エマルジョン破壊粒子付吸着材や吸着材である油吸着材７２は、油等の異物を吸着するに従って抵抗が大きくなり、圧縮されながら下流に向かって押し付けられることで、更に抵抗が大きくなると同時にエマルジョン化した油の破壊や油吸着の機能も低下していく。
【００４４】  そこで、このことを少しでも防止するために、具体的に図示していないが、液体の流れを垂直に遮ることが出来るようにドレン水処理装置本体７１の略中央部に数多くの小さな穴を形成した中間多孔板を配設し、この中間多孔板を支えるために、中間多孔板と油吸着材押え板７４の間にドレン水処理装置本体７１の内径より小径の円筒状の支持材を配設することによってエマルジョン破壊粒子付吸着材や吸着材である油吸着材７２が圧縮されるのを防止している。
【００４５】  但し、この中間多孔板の位置に関しては、ドレン水処理装置本体７１の略中央部に多少前後しても構わない。  また、中間多孔板を支える支持材は円筒状のものに限る必要はなく、数本のボルトで固定する等中間多孔板を支持出来れば、どのような形状のものでも構わない。
【００４６】  尚、ドレン水処理装置本体７１の内部には、活性炭を中間多孔板の下流直後に充填するのが最善であるが、中間多孔板の上流直前に充填するのも最善に近い効果が十分に見られる。  一方、中間多孔板に多少前後して充填してもかなりの効果が見られるし、ドレン水処理装置本体７１の両端末に近付いた何れかの部分に充填してもそれなりの効果はみられる。
【００４７】  ここで、エマルジョン破壊粒子を吸着材に付着させたエマルジョン破壊粒子付吸着材を作る方法としては、アミンや硫酸バリウム等のエマルジョン破壊粒子が溶媒で溶解されている溶液を吸着材に付着させた後に溶媒を蒸発乾燥させるような方法が一般的であるが、溶液を吸着材に霧状に吹き付ける方法もある。  また、アミンや硫酸バリウム等のエマルジョン破壊粒子を溶解した状態でなく、液体内で均一に混合された状態で吸着材に付着させるという方法も考えられる。  更に、エマルジョン破壊粒子そのものと吸着材を混合させることによって作り出すことも考えられる。
【００４８】  この場合、エマルジョン破壊粒子と吸着材をエマルジョン破壊粒子付吸着材の状態にしないで、粒子の状態のままで吸着材の間でばらばらに分散するように充填しても良い。  この場合にも、活性炭は、中間多孔板の上流直前直後やその周辺に配置しても良いし、入口や出口の多孔板の直後や直前に配置しても良い。  但し、前記の何れの場合に於いても、活性炭を配置しない構成も考えられる。
【００４９】  一方、本発明に用いられるアミンについてはアミン化合物またはその誘導体が考えられ、アミン化合物またはその誘導体が２５℃であるとき固体状のものであることが好ましいが、その化合物が２５℃で非固体状であっても、他の化合物との混合体で固体状になる化合物でも構わない。  つまり、化合物は、一種類単独で使用しても、二種類以上併用しても良い。
【００５０】  ところで、これらのアミン化合物やその誘導体は、好ましくは、一級アミン、二級アミン、三級アミン、およびその誘導体であり、より好ましくは、一級アミン、二級アミン、およびその誘導体、特に好ましくは、一級アミン（例えば、ステアリルアミン）、およびその誘導体である。
【００５１】  尚、アミン化合物としては、例えば、ヘキシルアミン、ヘプチルアミン、オクチルアミン、ノニルアミン、デジルアミン、ラウリルアミン、ミリスチルアミン、パルミチルアミン、オレイルアミン、ステアリルアミン等の一級アミン、または、これらの炭化水素鎖を有するジアミン、トリアミン等の二級アミン、および、三級アミン、あるいは、そのピクラート、種々の塩（例えば、塩酸、硫酸、リン酸、炭酸、酢酸等の塩）、さらに、これらの炭化水素鎖を有する一級アミン、および、二級アミンの酸アミド、アミジン類、尿素類、および、チオ尿素類や一級アミンのシツフ塩基物等がある。
【００５２】  また、吸着材およびエマルジョン破壊粒子付吸着材に使用している吸着材としては、ポリプロピレンやポリスチレン等の不織布を含む繊維よりなるものが考えられる。  但し、吸着材およびエマルジョン破壊粒子付吸着材に使用している吸着材に関しては、前述のものに限定する必要は無く、油吸着の機能を持っていて水不溶性のものであれば、活性炭やおがくずなども考えられるし、更にその他のものでもかまわない。
【００５３】  ここで、吸着材およびエマルジョン破壊粒子付吸着材に使用している吸着材の大きさとしては、好ましくは、（１０〜２００ｍｍ）×（２〜５０ｍｍ）のものであるか、より好ましくは、（３０〜８０ｍｍ）×（５〜４０ｍｍ）の大きさのものである。  特に、（３５〜５５ｍｍ）×（２５〜４０ｍｍ）と、（４０〜６０ｍｍ）×（３〜１０ｍｍ）の２種類の大きさのものを準備するのが最も望ましい。  この事は、別の見方で言うと、１００ｍｍ×５０ｍｍ以下の小片で、面積で３〜１０倍の違った大きさのものを２種類準備するという考え方に近いとも言えるし、最善のものでは、６０ｍｍ×４０ｍｍ以下の小片で、面積で４〜８倍の違った大きさのものを２種類準備するのが理想的とも言える。
【００５４】  この場合、このような大きさが好ましい理由は、吸着材およびエマルジョン破壊粒子付吸着材に使用している吸着材をドレン水処理装置本体７１に充填する際に、大きすぎる場合には、隙間が大きくなることで多くの量を充填することが難しいために大きな表面積を得にくくなり、無理な圧縮をしている部分が多くなるがそのような部分はエマルジョン化した油の破壊や吸着の機能は低下し、充填する量が少なくなるために性能を確保することが出来ず、小さすぎる場合には、基本的に隙間が小さいためにエマルジョン化した油の破壊や吸着の機能の低下が早くなり、裁断するのにめんどうであるし、各種の管理をするにもめんどうである。
【００５５】  また、二種類の大きさのものを使用するということは、大きさの異なる二種類の小片を準備することで、大きくすることでの課題である大きな隙間や無理な圧縮を、小さいものを加えることで補うことが可能であり、同時に小さくすることでの課題である早期の機能低下を、大きなものを加えることで補うことが出来るということに大きな意味を持っているのである。
【００５６】  尚、二種類の小片については、吸着材およびエマルジョン破壊粒子付吸着材に使用している吸着材の両方に二種類の小片を使用するのが最善であるが、吸着材に小さい小片とエマルジョン破壊粒子付吸着材に使用している吸着材に大きい小片を使用してもその逆でも良い。  当然のことながら、エマルジョン破壊粒子付吸着材の状態にしないで、エマルジョン破壊粒子と二種類の大きさの吸着材を、粒子の状態のままで吸着材の間でばらばらに分散するように充填することも考えられる。
【００５７】  本発明による、圧縮空気より発生したドレン水の処理方法および処理装置は前述したように構成されており、以下にその動作についてその内容を説明する。
【００５８】  先ず、空気圧縮機１０を構成しているモータ１２を作動させると、ベルトの伝達によって圧縮機１１も回転し、吸入口１３から吸い込んだ大気を圧縮してエアータンク１４に圧縮空気を貯蔵する。  この、エアータンク１４に圧縮空気を貯蔵する過程で、圧縮空気が結露することで発生したドレン水がエアータンク１４の底にドレン水Ｄ１として溜まってくる。  同時に、単一の電源によって作動が行なわれるパッケージ型冷凍式エアードライヤ搭載形エアーコンプレッサ１ということで、空気圧縮機１０と同時に冷凍式エアードライヤ３０も作動を開始することになる。
【００５９】  次に、圧縮空気吐出配管１６４の先端に接続されているエアーシリンダ・・・等の各種のアクチュエータが作動することによって乾燥したそして細菌類に対応した綺麗な圧縮空気１０１が供給されると、エアータンク１４に貯蔵された圧縮空気が圧縮空気吐出配管１５Ｂと圧縮空気開閉弁１８と圧縮空気吐出配管１５Ａを通って冷凍式エアードライヤ３０に送り込まれる。  この、冷凍式エアードライヤ３０においても圧縮空気が冷却される過程で、圧縮空気が結露することで発生したドレン水が冷凍式エアードライヤ本体３１の底にドレン水Ｄ２として溜まってくる。
【００６０】  ここで、冷却された圧縮空気は、同様に乾燥した圧縮空気となって圧縮空気流出口３１ｂより、圧縮空気吐出配管３５と、圧縮空気開閉弁３８と、圧縮空気吐出配管１６１と、エアーフィルター５０と、圧縮空気吐出配管１６２と、細菌類対応フィルター６０と、圧縮空気吐出配管１６３と、圧縮空気開閉弁６５と、圧縮空気吐出配管１６４を通って、乾燥したそして細菌類に対応した綺麗な圧縮空気１０１としてエアーシリンダやエアーモータ・・・等の各種のアクチュエータに送られるようになっている。
【００６１】  一方、エアータンク１４の底に溜まったドレン水Ｄ１は、ドレン水配管１６と、ドレン水開閉弁１７と、ドレン水配管１５１と、エアータンク１４に貯留されたドレン水Ｄ１の量によって、または一定の時間毎に一定の間開放することで、圧縮空気と共にドレン水Ｄ１を送り出している電磁式のドレントラップ４０と、ドレン水配管１５２と、ドレン水集合管１５３を経由して、ドレン水処理装置７０に送り込まれるようになっている。  この場合、ドレントラップ４０に関しては、ドレン水をドレン水処理装置７０に送り込むために、ドレン水と圧縮空気を同時に排出する必要がある。
【００６２】  そして、冷凍式エアードライヤ本体３１の底に溜まったドレン水Ｄ２は、ドレン水配管３６と、ドレン水開閉弁３７と、ドレン水配管１７１と、一定の時間毎に一定の間開放することで、圧縮空気と共にドレン水を送り出している電磁式のドレントラップ４５と、ドレン水配管１７２と、ドレン水集合管１５３を経由して、ドレン水処理装置７０に送り込まれるようになっている。
【００６３】  更に、エアーフィルター５０の底に溜まったドレン水は、ドレン水配管１８１と、ドレン水開閉弁５１と、ドレン水配管１８２と、一定の時間毎に一定の間開放することで、圧縮空気と共にドレン水を送り出している電磁式のドレントラップ５２と、ドレン水配管１８３と、ドレン水集合管１５３を経由して、ドレン水処理装置７０に送り込まれるようになっている。
【００６４】  加えて、細菌類対応フィルター６０の底に溜まったドレン水は、ドレン水配管１９１と、ドレン水開閉弁６１と、ドレン水配管１９２と、一定の時間毎に一定の間開放することで、圧縮空気と共にドレン水を送り出している電磁式のドレントラップ６２と、ドレン水配管１９３と、ドレン水集合管１５３を経由して、ドレン水処理装置７０に送り込まれるようになっている。  所で、ドレントラップ４０、４５、５２、６２に関しては、ドレン水と圧縮空気を同時に排出する場合には無駄を排除する意味からは、出来る限り圧縮空気を排出しない調整が必要である。
【００６５】  また、ドレン水処理装置７０に於いては、先ずドレン水集合管１５３より送り込まれたドレン水と圧縮空気は、ドレン水処理装置７０の上部から大気に開放された状態で流入しドレン水処理装置本体７１に収納されている油吸着材７２のエマルジョン破壊粒子を付着させたエマルジョン破壊粒子付吸着材と油を吸着する吸着材を概ね均一に混在させた状態で収納された中で、エマルジョン破壊粒子付吸着材と吸着材をランダムに経由することで、エマルジョン破壊粒子付吸着材ではエマルジョン化した油の水と油の結合を解き放つことでエマルジョン破壊を行い、更に離脱した油を吸着させ、吸着材ではエマルジョン破壊粒子付吸着材で吸着出来なかった油を吸着させ、このような処理をランダムに何度も行うことによってドレン水の清浄度を向上させた後に清浄水配管１５４から清浄水１０２として輩出している。
【００６６】  そして、ドレン水が活性炭を通過すると臭いや色素が除去されるようになっている。即ち、収納されているエマルジョン破壊粒子付吸着材と吸着材と活性炭より成る油吸着材７２によってこれ等の動作が達成されるのである。  この場合、油吸着材７２としては、エマルジョン破壊粒子付吸着材だけということも考えられる。
【００６７】（第二の実施例）
図２に見られるように、１Ａはパッケージ型冷凍式エアードライヤ搭載形エアーコンプレッサであって、パッケージ型冷凍式エアードライヤ搭載形エアーコンプレッサ１に収納されている、空気圧縮機１０と冷凍式エアードライヤ３０と圧縮空気吐出配管１５Ａ、１５Ｂ、３５とドレン水配管１６、３６と圧縮空気開閉弁１８に加えて、エアーフィルター５０と細菌類対応フィルター６０と圧縮空気開閉弁３８と圧縮空気吐出配管１６１、１６２、１６３とドレン水開閉弁３７、５１、６１とドレン水配管１７１、１８１、１８２、１９１、１９２の収納物を、棚１ａや箱や枠や板の中の一点または複数点を使用することで一体に構成している。
【００６８】  尚、パッケージ型冷凍式エアードライヤ搭載形エアーコンプレッサ１Ａに関しては、圧縮空気開閉弁６５を含むということも考えられる。  そして、第一の実施例と第二の実施例の大きな違いは、パッケージ型冷凍式エアードライヤ搭載形エアーコンプレッサ１の収納物に別の収納物を付加することで、パッケージ型冷凍式エアードライヤ搭載形エアーコンプレッサ１Ａを構成していることである。  従って、動作に関しては、第一の実施例と同じ説明になるので省略する。
【００６９】（第三の実施例）
図３に見られるように、１Ｂはパッケージ型冷凍式エアードライヤ搭載形エアーコンプレッサであって、パッケージ型冷凍式エアードライヤ搭載形エアーコンプレッサ１Ａに収納されている、空気圧縮機１０と冷凍式エアードライヤ３０と圧縮空気吐出配管１５Ａ、１５Ｂ、３５とドレン水配管１６、３６と圧縮空気開閉弁１８と、エアーフィルター５０と細菌類対応フィルター６０と圧縮空気開閉弁３８と圧縮空気吐出配管１６１、１６２、１６３とドレン水開閉弁３７、５１、６１とドレン水配管１７１、１８１、１８２、１９１、１９２に加えて、ドレントラップ４５とドレン水配管１７２の収納物を、棚１ａや箱や枠や板の中の一点または複数点を使用することで一体に構成している。
【００７０】  そして、第二の実施例と第三の実施例の大きな違いは、パッケージ型冷凍式エアードライヤ搭載形エアーコンプレッサ１Ａの収納物に別の収納物を付加することで、パッケージ型冷凍式エアードライヤ搭載形エアーコンプレッサ１Ｂを構成していることである。  従って、動作に関しては、第二の実施例と同じ説明になるので省略する。
【００７１】（第四の実施例）
図四に見られるように、１Ｃはパッケージ型冷凍式エアードライヤ搭載形エアーコンプレッサであって、パッケージ型冷凍式エアードライヤ搭載形エアーコンプレッサ１Ｂに収納されている、空気圧縮機１０と冷凍式エアードライヤ３０と圧縮空気吐出配管１５Ａ、１５Ｂ、３５とドレン水配管１６、３６と圧縮空気開閉弁１８と、エアーフィルター５０と細菌類対応フィルター６０と圧縮空気開閉弁３８と圧縮空気吐出配管１６１、１６２、１６３とドレン水開閉弁３７、５１、６１とドレン水配管１７１、１８１、１８２、１９１、１９２と、ドレントラップ４５とドレン水配管１７２に加えて、ドレントラップ５２、６２とドレン水配管１８３、１９３の収納物を、棚１ａや箱や枠や板の中の一点または複数点を使用することで一体に構成している。
【００７２】  そして、第三の実施例と第四の実施例の大きな違いは、パッケージ型冷凍式エアードライヤ搭載形エアーコンプレッサ１Ｂの収納物に別の収納物を付加することで、パッケージ型冷凍式エアードライヤ搭載形エアーコンプレッサ１Ｃを構成していることである。  従って、動作に関しては、第三の実施例と同じ説明になるので省略する。
【００７３】（第五の実施例）
図五に見られるように、１Ｄはパッケージ型冷凍式エアードライヤ搭載形エアーコンプレッサであって、パッケージ型冷凍式エアードライヤ搭載形エアーコンプレッサ１Ｃに収納されている、空気圧縮機１０と冷凍式エアードライヤ３０と圧縮空気吐出配管１５Ａ、１５Ｂ、３５とドレン水配管１６、３６と圧縮空気開閉弁１８と、エアーフィルター５０と細菌類対応フィルター６０と圧縮空気開閉弁３８と圧縮空気吐出配管１６１、１６２、１６３とドレン水開閉弁３７、５１、６１とドレン水配管１７１、１８１、１８２、１９１、１９２と、ドレントラップ４５とドレン水配管１７２と、ドレントラップ５２、６２とドレン水配管１８３、１９３に加えて、ドレン水集合管１５３とドレン水処理装置７０と清浄水配管１５４の収納物を、棚１ａや箱や枠や板の中の一点または複数点を使用することで一体に構成している。
【００７４】  そして、第四の実施例と第五の実施例の大きな違いは、パッケージ型冷凍式エアードライヤ搭載形エアーコンプレッサ１Ｃの収納物に別の収納物を付加することで、パッケージ型冷凍式エアードライヤ搭載形エアーコンプレッサ１Ｄを構成していることである。  従って、動作に関しては、第四の実施例と同じ説明になるので省略する。
【００７５】（第六の実施例）
図六に見られるように、１Ｅはパッケージ型冷凍式エアードライヤ搭載形エアーコンプレッサであって、パッケージ型冷凍式エアードライヤ搭載形エアーコンプレッサ１Ｄに収納されている、空気圧縮機１０と冷凍式エアードライヤ３０と圧縮空気吐出配管１５Ａ、１５Ｂ、３５とドレン水配管１６、３６と圧縮空気開閉弁１８と、エアーフィルター５０と細菌類対応フィルター６０と圧縮空気開閉弁３８と圧縮空気吐出配管１６１、１６２、１６３とドレン水開閉弁３７、５１、６１とドレン水配管１７１、１８１、１８２、１９１、１９２と、ドレントラップ４５とドレン水配管１７２と、ドレントラップ５２、６２とドレン水配管１８３、１９３と、ドレン水集合管１５３とドレン水処理装置７０と清浄水配管１５４に加えて、ドレン水開閉弁１７とドレン水配管１５１、１５２とドレントラップ４０の収納物を、棚１ａや箱や枠や板の中の一点または複数点を使用することで一体に構成している。
【００７６】  そして、第五の実施例と第六の実施例の大きな違いは、パッケージ型冷凍式エアードライヤ搭載形エアーコンプレッサ１Ｄの収納物に別の収納物を付加することで、パッケージ型冷凍式エアードライヤ搭載形エアーコンプレッサ１Ｅを構成していることである。  従って、動作に関しては、第五の実施例と同じ説明になるので省略する。
【産業上の利用可能性】
【００７７】  乾燥したそして細菌類に対応した綺麗な圧縮空気の製造装置および製造方法に関する技術であって、更に詳細に述べると、空気圧縮機と冷凍式エアードライヤの収納物を箱や枠や板の中の一点または複数点を使用することで一体に構成したパッケージ型冷凍式エアードライヤ搭載形エアーコンプレッサと接続している圧縮空気吐出配管の途中に、エアーフィルターと細菌類を除去したり殺菌したり抗菌する細菌類対応フィルターを記載の順に位置させた技術について述べたものであり、空気圧縮機と冷凍式エアードライヤを一体にしたことを中心にして、人体に有害な物質である、各種の細菌やマイコプラズマやリケッチャやクラジミアやウイルス等の細菌類を除去したり殺菌したり抗菌する菌対応フィルターを位置させたことによって、装置の運搬や、装置を設置する際にその場所が狭いという事に配慮しながら、乾燥したそして細菌類に対応した綺麗な圧縮空気の製造する技術に関して述べたものである。  特に、都会地の、またマンション内の狭い場所に位置して開業している、歯科医院等に配慮したものである。
【符号の説明】
【００７８】１・・・・・・・パッケージ型冷凍式エアードライヤ搭載形エアーコンプレッサ
１Ａ・・・・・・パッケージ型冷凍式エアードライヤ搭載形エアーコンプレッサＡ
１Ｂ・・・・・・パッケージ型冷凍式エアードライヤ搭載形エアーコンプレッサＢ
１Ｃ・・・・・・パッケージ型冷凍式エアードライヤ搭載形エアーコンプレッサＣ
１Ｄ・・・・・・パッケージ型冷凍式エアードライヤ搭載形エアーコンプレッサＤ
１Ｅ・・・・・・パッケージ型冷凍式エアードライヤ搭載形エアーコンプレッサＥ
１ａ・・・・・・棚
１０・・・・・・空気圧縮機
１１・・・・・・圧縮機
１２・・・・・・モータ
１３・・・・・・吸入口
１４・・・・・・エアータンク
１４ａ・・・・・圧縮空気吐出口
１４ｂ・・・・・ドレン水排出口
１５Ａ・・・・・圧縮空気吐出配管
１５Ｂ・・・・・圧縮空気吐出配管
１６・・・・・・ドレン水配管
１７・・・・・・ドレン水開閉弁
１８・・・・・・圧縮空気開閉弁
３０・・・・・・冷凍式エアードライヤ
３１・・・・・・冷凍式エアードライヤ本体
３１ａ・・・・・圧縮空気流入口
３１ｂ・・・・・圧縮空気流出口
３１ｃ・・・・・ドレン水排出口
３２・・・・・・冷媒循環装置
３３・・・・・・冷媒配管
３３ａ・・・・・フィン
３５・・・・・・圧縮空気吐出配管
３６・・・・・・ドレン水配管
３７・・・・・・ドレン水開閉弁
３８・・・・・・圧縮空気開閉弁
４０・・・・・・ドレントラップ
４５・・・・・・ドレントラップ
５０・・・・・・エアーフィルター
５１・・・・・・ドレン水開閉弁
５２・・・・・・ドレントラップ
６０・・・・・・細菌類対応フィルター
６１・・・・・・ドレン水開閉弁
６２・・・・・・ドレントラップ
６５・・・・・・圧縮空気開閉弁
７０・・・・・・ドレン水処理装置
７１・・・・・・ドレン水処理装置本体
７１ｚ・・・・・空間部
７２・・・・・・油吸着材
７３・・・・・・支柱
７４・・・・・・油吸着材押え板
１０１・・・・・乾燥したそして細菌類に対応した綺麗な圧縮空気
１０２・・・・・清浄水
１５１・・・・・ドレン水配管
１５２・・・・・ドレン水配管
１５３・・・・・ドレン水集合管
１５４・・・・・清浄水配管
１６１・・・・・圧縮空気吐出配管
１６２・・・・・圧縮空気吐出配管
１６３・・・・・圧縮空気吐出配管
１６４・・・・・圧縮空気吐出配管
１７１・・・・・ドレン水配管
１７２・・・・・ドレン水配管
１８１・・・・・ドレン水配管
１８２・・・・・ドレン水配管
１８３・・・・・ドレン水配管
１９１・・・・・ドレン水配管
１９２・・・・・ドレン水配管
１９３・・・・・ドレン水配管
Ｄ１・・・・・・ドレン水
Ｄ２・・・・・・ドレン水
【図１】
0005544546.tif 000002
【図２】
0005544546.tif 000003
【図３】
0005544546.tif 000004
【図４】
0005544546.tif 000005
【図５】
0005544546.tif 000006
【図６】
0005544546.tif 000007